(57)【要約】      （修正有）【課題】構造が簡単で魚の口に入り易く、しかもいったん口内に入ったのちは吐き出され難い釣り針を提供する。【解決手段】針本体２に弾性線材３が取り付けられている。魚が口に入れる際には、弾性線材３が口内に接触してもその先端３２が針本体２に近づく向きに変形して口内には引っ掛かりにくい。しかし魚が吐き出そうとする際には、弾性線材３の先端３２が口内に引っ掛かってその先端３２が針本体２から離れる向きに変形しやすい。また、弾性線材３の先端３２は、針本体２の軸部２１と直角な面内では、軸部２１を中心に針本体２の針先２２から９０°以上離れた向きに延び、上記軸部２１と平行であって弾性線材３を含む面内では、針本体２の底部２４から遠くなる向きに延びている構成とする。【選択図】図１
0003146898.tif 000002
【実用新案登録請求の範囲】
【請求項１】
針本体に弾性線材が取り付けられていて、魚が口に入れる際には、弾性線材が口内に接触してもその先端が針本体に近づく向きに変形して口内には引っ掛かりにくく、魚が吐き出そうとする際には、弾性線材の先端が口内に引っ掛かってその先端が針本体から離れる向きに変形しやすいことを特徴とする釣り針。
【請求項２】
直線状の軸部の下に曲線状の底部が続いて針先に至る形を有する針本体の軸部に弾性線材が取り付けられていて、当該弾性線材の先端は、上記軸部と直角な面内では、軸部を中心に針本体の針先から９０°以上離れた向きに延び、上記軸部と平行であって弾性線材を含む面内では、針本体の底部から遠くなる向きに延びていることを特徴とする請求項１に記載の釣り針。
【請求項３】
直線状の軸部の下に曲線状の底部が続いて針先に至るＪの字状の形をした針本体と、同様のＪの字状の形をし、または折れ曲がった底部の先に先端を有するレの字状の形をした弾性線材とが、針本体の針先と弾性線材の先端とが離れ合う向きで互いの軸部が結合されることにより取り付けられていることを特徴とする請求項１または２に記載の釣り針。
【請求項４】
上記の弾性線材が、針本体の軸部に複数個取り付けられていることを特徴とする請求項１〜３のいずれかに記載の釣り針。
【請求項５】
カワハギ、キス、カレイを対象魚とすることを特徴とする請求項１〜４のいずれかに記載の釣り針。
【考案の詳細な説明】
【技術分野】
【０００１】
請求項に係る考案は、魚がいったん飲み込むと吐き出し難いようにした釣り針に関するものである。
【背景技術】
【０００２】
従来、釣り針の針先にはカエシ（モドリ）と呼ばれる突起が設けられていて、いったん魚の口内に飲み込まれた釣り針が魚の口から抜けて魚が逃げて（ばらして）しまうことがないようになっていた。しかし、カエシの部分が魚の口内に刺さらないうちに、釣り針が魚の口から吐き出されてしまうことも少なくない。
【０００３】
魚のばらしを防ぐ釣り針として、２本の針を結合したものが知られている。例えば下記の特許文献１には、２本の針を結合し、魚が関与した時にそれらの釣り針が開くようにした釣り針装置が開示されている。釣り針を開く手段としては、２本の釣り針がハリスの弾力で開く構造、板およびコイルスプリングにより開く構造、上下動差のズレにより開く構造等が採用されている。また特許文献２には、２本の釣り針を一体にして９０°から１８０°の角度をなすように配し、２本の釣り針で餌を抱くように保持することにより、餌を外れにくくするとともに、魚の針掛かりを向上する釣り針が開示されている。
【特許文献１】特開２００７−２８９４６号公報
【特許文献２】実用登録第３０５４３１８号公報
【考案の開示】
【考案が解決しようとする課題】
【０００４】
しかしながら、特許文献１に開示された釣り針装置では、２本の釣り針を板やコイルスプリングで開閉する機構等を採用しているため、構造が複雑になるだけでなく寸法も大きくなり、魚の口に入り難いという課題がある。また、特許文献２に開示された釣り針においても、大小２本の釣り針が軸を中心として開いた状態で一体にされているため、上記と同様に寸法が大きく、魚の口に入りにくい。
【０００５】
請求項に係る考案は、構造が簡単なうえ魚の口に入りやすく、しかもいったん口内に入ったのちは吐き出され難いという、釣果をもたらしやすい釣り針を提供するものである。
【課題を解決するための手段】
【０００６】
請求項１に係る考案の釣り針は、図１（ａ）等に示すように針本体に弾性線材が取り付けられたものである。魚が口に入れる際には、弾性線材が口内に接触しても、たとえば図２（ａ）のようにその先端が針本体に近づく向きに変形（弾性変形）して口内には引っ掛かりにくく、魚が吐き出そうとする際には、図２（ｃ）のように弾性線材の先端が口内に引っ掛かってその先端が針本体から離れる向きに変形しやすいことを特徴とする。
針本体としては硬質金属等で製作された、釣り用の通常の針を使用すればよいが、弾性線材は、細い金属や樹脂等の線でできた、広い範囲で弾性変形し得るもの（ただし、いわゆる腰が強く、上記のように先端が口内に引っ掛かったときは抵抗を発揮するもの）を使用する。
【０００７】
この釣り針は、針本体に弾性線材が取り付けられて構成され特別な動作機構等を必要としないため、構造が簡単であり、コンパクトに製作することがきわめて容易である。
魚が口に入れる際、弾性線材が上記のように変形して口内に引っ掛かりにくいなら、針は魚の口内に飲み込まれやすい。針本体に弾性線材が付いていて全体の寸法が多少大きくなっているとしても、飲み込まれるときの実質上の大きさは、上記のとおり弾性線材の先端が針本体に近づく向きに変形するため、針本体のみの場合とほとんど同じである。
魚がいったん口に入れたのち釣り針を吐き出そうとする際には、弾性線材の先端が口内に引っ掛かってその先端が針本体から離れる向きに変形しやすいため、この針はきわめて吐き出され難い。たとえば図２（ｃ）のように弾性線材の先端が口内に引っ掛かってその先端が針本体から離れる向きに変形すると、その変形にともなって針本体が弾性線材から離れる側へ変位し、魚の口内に刺さりやすくなる。つまり、魚が吐き出そうとする際は、この釣り針は実質上の寸法が拡大されて口内に針本体を突き刺しやすく、もって釣果を向上させることになる。
【０００８】
請求項２に係る釣り針は、とくに、直線状の軸部の下に曲線状の底部が続いて針先に至る形を有する針本体の軸部に弾性線材が取り付けられていて、当該弾性線材の先端は、上記軸部と直角な面内では、図４・図６のように軸部を中心に針本体の針先から９０°以上離れた向きに延び、上記軸部と平行であって弾性線材を含む面内では、図１・図３・図５のように針本体の底部から遠くなる向きに延びていることを特徴とする。
【０００９】
こうした釣り針は、針本体の底部の側から魚に飲み込まれるとき、弾性線材が口内に接触してもその先端が針本体に近づく向きに変形して口内には引っ掛かりにくい。弾性線材の先端は、上記のとおり針本体の底部から遠くなる向きに延びているため、飲み込まれる際にその先端が魚の口内に引っ掛かるようなことはなく、弾性線材が口内に接触してもその先端が針本体に近づく向きに変形するのみだからである。したがってこの針は、魚の口内に飲み込まれやすいといえる。
そしてこの針を上記と逆向きに魚が吐き出そうとするときは、弾性線材の先端が口内に引っ掛かってその先端が針本体から離れる向きに変形しやすい。弾性線材の先端が上記のように、針本体の底部から遠い向きに延びているうえ軸部を中心に針本体の針先から９０°以上離れた向きに延びており、その先端が釣り針の実質上の寸法を拡大していて魚の口内に引っ掛かりやすく、また引っ掛かると針本体の針先から遠くなる向きに変形するからである。したがって、この針は、魚が吐き出そうとする際には口内に針本体が刺さりやすく、釣果を向上させやすいといえる。
【００１０】
請求項３に係る釣り針は、図５等に例示するように、直線状の軸部の下に曲線状の底部が続いて針先に至るＪの字状の形をした針本体と、同様のＪの字状の形をし（図５（ａ）等を参照）、または折れ曲がった底部の先に先端を有するレの字状の形をした（図５（ｂ）等を参照）弾性線材とが、針本体の針先と弾性線材の先端とが離れ合う向きで互いの軸部が結合されることにより取り付けられていることを特徴とする。
「針本体の針先と弾性線材の先端とが離れ合う向き」としては、図１（ｂ）のように針本体と弾性線材とが背中合わせになり針先と先端とが１８０°離れていることとするのもよく、また両者が図４のように９０°以上の角度をあけているようにするのもよい。
【００１１】
Ｊの字状の形をした針本体と、Ｊの字状またはレの字状の弾性線材とが、上記のように互いの軸部が結合されて背中合わせまたはそれに近い状態に取り付けられていると、その釣り針は請求項１または２に記載の特徴を有し、上記した作用を発揮する。したがって、上記各形状の針本体と弾性線材とを組み合わせたこの請求項の釣り針は、比較的容易に構成できるにもかかわらず、魚の口に飲み込まれやすく、しかもいったん飲み込まれたのちは吐き出され難いという好ましい機能を有するといえる。
【００１２】
請求項４の釣り針はさらに、上記の弾性線材が、針本体の軸部に複数個取り付けられていることを特徴とする。
上記の弾性線材はいずれも、魚が口に入れる際にはその先端が針本体に近づく向きに変形して口内に引っ掛かりにくいものであるため、それらが針本体の軸部に複数個取り付けられているとしても、釣り針は魚の口に入りにくくなるわけではない。しかし、いずれの弾性線材も、魚が吐き出そうとする際には先端が口内に引っ掛かって針本体から離れる向きに変形しやすく、いずれの線材が引っ掛かった場合にもその変形にともなって針本体が変位して魚の口内に刺さりやすくなる。つまりこの請求項の釣り針によれば、魚の口内への飲み込まれやすさを保ちながら、吐き出され難さを高めることが可能になる。
【００１３】
請求項５の釣り針は、とくに、カワハギ、キス、カレイを対象魚とするものである。
一般に釣り針は、対象とする魚の種類、習性、体長等に合わせて様々な形状や構造のものが作られている。しかしこの釣り針は、餌を小突くのではなく餌をそのまま飲み込む習性のあるカワハギやキス、カレイを対象としている。
上記のような特徴を有する考案の釣り針をこのような種類の魚に使用すると、これらの魚は、釣り針を餌とともにいったん飲み込み、何らかの違和感をもったとき吐き出そうとする。しかし考案の釣り針は、飲み込むことは容易であるが、吐き出そうとする際には弾性線材の先端が魚の口内に引っ掛かって針本体を口内に突き刺しやすくするため、魚は釣り針を吐き出すことができず、釣り上げられることになる。したがって、上のような魚の口の大きさ等に合わせて釣り針を構成し適切に使用すると、それらの魚を効果的に釣ることが可能になる。
【考案の効果】
【００１４】
考案の釣り針は、魚の口に入りやすく、しかもいったん口内に入ったのちは吐き出され難いため、好ましい釣果をもたらす。
針本体に取り付ける弾性線材を複数にすることにより、吐き出し難さを高めて釣果を一層向上させることもできる。
とくに、カワハギ、キス、カレイ等のように、餌を小突くのではなく餌を飲み込む習性がある魚を釣るうえで有利である。
【考案を実施するための最良の形態】
【００１５】
考案の実施形態につき、図面に基づいて説明する。なお、各図において、同一部材および同一機能の部分には同一の符号を付している。
図１は考案の第一実施形態を示したもので、（ａ）は正面図、（ｂ）は平面図（軸部２１の延長線上から見た図）である。図１において、考案の釣り針１０は、針本体２と、該針本体２に取り付けられた弾性線材３より構成されている。針本体２は、餌釣り用であって、一つの針本体に一つの針先を持つ形式、例えば、シングル釣り針、ルアー用フック等である。前記針本体２は、軟鋼線、硬鋼線、ステンレス線、ピアノ線等の金属を用いて、軸部２１（直線状の軸部の下に曲線状の底部が続いて針先に至る形を有する針本体の軸部）、針先２２、チモト２３よりなる略Ｊの字状に形成されている。
【００１６】
弾性線材３は、釣り針１０を魚の口内に飲み込まれやすく、かつ口内から吐き出され難くするために設けられたもので、図１（ａ）に示すように、基端３１から針本体２の底部２４に近づく側（図面の下方向）へ曲面状に延伸し、続いてチモト２３への側に反転し、先端３２はチモト２３より上方（図面の上方向）の位置まで曲線状に延伸している。弾性線材３の基端３１は針本体２の軸部２１に、図示しないハリスで巻き付けられまたはハンダ付けされており、先端３２は自由端となっている。弾性線材３は、ステンレス、チタンまたは形状記憶金属等を用いるが、針本体２と同一材料である軟鋼線、硬鋼線、ピアノ線等の金属を用いてもよい。その線径は、線材３が弾性変形をして魚が釣り針を飲み込みやすくなるように極力細くすることが望ましく、例えば０．０３ｍｍ〜０．３ｍｍ程度とする。
【００１７】
図２は、本考案の第一実施形態による釣り針１０を用いたカワハギの実釣を示す説明図であり、（ａ）は魚が釣り針１０を口に入れた状態、（ｂ）は魚が釣り針１０を飲み込んだ状態、（ｃ）は針本体２が魚の口の内壁に刺さった状態を示したものである。なお図２において、理解を容易にするために餌は図示していない。
図２（ａ）において、カワハギ５が釣り針１０を飲み込もうとした場合、弾性線材３はカワハギ５の口の内壁７に接触したときその口の内壁７に押されて先端および全体が針本体２の軸部に近づく方向に撓むので、釣り針１０は容易にカワハギの口内６に飲み込まれる。図２（ｂ）は、釣り針１０がカワハギ５の口内６に位置した状態を示したもので、弾性線材３は原形に復帰した状態となっている。図２（ｃ）において、カワハギ５が違和感を覚えて釣り針１０を吐き出そうとしたときには、針本体２の弾性線材３の先端がカワハギの口の内壁７（たとえば図示下側）に引っ掛かり、それにともなって針本体２が口内６における反対側（たとえば図示上側）の内壁７寄りに移動してその内壁７に突き刺さりやすいことから、釣り針１０が吐き出され難くなる。
【００１８】
図３は考案の第二の実施形態を示す正面図であり、（ａ）は、弾性線材３が基端３１から先端３２にかけて曲線状に形成され、その先端３２が針本体２のチモト２３と同じ向きに設けられた釣り針１１を示す。また（ｂ）は、弾性線材３が基端３１から先端３２にかけて直線状に形成され、その先端３２がやはり針本体１２のチモト２３と同じ向きに設けられた釣り針１２を示している。
【００１９】
図４は、考案の第三の実施形態を示す平面図（軸部の延長線上から見た図）である。図４において、針本体２の針先２２と弾性線材３との角度は、直線状の軸部２１と直角な面で見るとき図示のように９０°またはそれ以上離れて取り付けられており、直線状の軸部２１と平行な面では（図示は省略）弾性線材３の先端３２は、図１・図３の例と同様、針本体２の底部から離れる方向に向けられている。即ち、弾性線材３は、図４のＡに示す範囲（針先を起点として、時計回りに９０°から２７０°の範囲）にあり、十分な効果をもたらす。なお、針本体２および弾性線材３の材質や形状については、前記実施形態のものと同様である。
【００２０】
図５は、考案の第四の実施形態を示す正面図であり、（ａ）は、Ｊの字状の弾性線材３を針本体２に取り付けた釣り針１４を、（ｂ）は、レの字状の弾性線材３を針本体２に取り付けた釣り針１５を示している。図５（ａ）において弾性線材３は、針本体２と同様のＪの字状に形成されており、弾性線材３の軸部と針本体２の軸部２１を接触させた状態でハリス４にて巻着されまたはハンダ付けされている。また、針本体２の先端と弾性線材３の先端３２とは、軸部２１と直角な面内において軸部２１を中心に１８０°離れて（または図４と同様に９０°以上離れて）位置している。図５（ｂ）の例では、弾性線材３は、Ｊの字状の形をした針本体２の底部近傍で折れ曲がったレの字状に形成されており、その弾性線材３の軸部と針本体の軸部２１とは、互いに接触し合った状態でハリス４により巻着またはハンダ付けされている。針本体２と弾性線材３との間の角度（軸部２１を中心とする角度）は、やはり１８０°（または９０°以上）とする。なお、弾性線材３の針本体２に対する大きさ、形状または取り付け角度は、適宜変更することが可能である。
【００２１】
図６は本考案の第五の実施形態を示す平面図であり、（ａ）は針本体２に対して弾性線材３を２個取り付けたもの、（ｂ）は弾性線材３を３個取り付けたものである。図６（ａ）においては、図のように軸部２１と直角な面内で見るとき、針本体２の針先２２からそれぞれ１３５°離れた位置に互いに９０°離間して２個の弾性線材３が取り付けられている。また図６（ｂ）では、針先２２から互いに９０°ずつ離れた角度に弾性線材３が３個取り付けられている。なお、弾性線材３の取り付け個数、位置および長さは、図４のＡに示す範囲（針先を起点として、時計回りに９０°から２７０°の範囲）であれば、適宜変更して取り付けることにより効果を得ることができる。
【００２２】
図３〜６に示した釣り針は、魚の口内に飲み込まれたのち魚が釣り針を吐き出そうとしたとき、図２のように、弾性線材３の作用で針本体２の針先２２が魚の口の内壁に突き刺さりやすい。とくに弾性線材３を複数個取り付けた場合には、より一層ばらされる可能性が低くなり、釣果を向上させることが期待できる。なお、釣り針および弾性線材の材質や構造については、前記と同様にまたはそれ以外に定めることができる。
【００２３】
考案の釣り針は、餌釣り用のシングル釣り針またはルアー用フックに適用されるものであるが、特に、餌を小突くのではなく、餌を飲み込む習性がある魚、例えばカワハギ、キス、カレイ等を対象とするのがよい。これらを対象とする場合には、他の魚種に比べて釣果が著しく向上する。ただし、考案はこれらの魚種に限定されるものではなく、他の魚種用の釣り針に適用することも当然可能である。
【産業上の利用可能性】
【００２４】
実施の形態として、餌釣り用で、一つの釣り針が一つの針先を持つ形式の釣り針（シングル、ルアー用のフック）を示したが、考案はこれらに限定されるものではなく、一つの釣り針が複数の針先を持つ形式の釣り針（イカリ針、ダブル・フックまたはトレブル・フック等）にも適用できる。また、錘を付けた形式の釣り針（カブラ針、ジグ・ヘッド等）にも適用が可能である。
【図面の簡単な説明】
【００２５】
【図１】考案の第一実施形態としての釣り針を示すもので、（ａ）は正面図、（ｂ）は平面図である。
【図２】考案の第一実施形態による釣り針を用いたカワハギの実釣を示す説明図であり、（ａ）は魚が釣り針を口に入れた状態、（ｂ）は魚が釣り針を飲み込んだ状態、（ｃ）は釣り針と線材が魚の口の内壁に刺さった状態を示す図である。
【図３】考案の第二実施形態である釣り針を示す正面図で、（ａ）は弾性線材が基端から先端にかけて曲線状に形成されているもの、（ｂ）は弾性線材が基端から先端にかけて直線状に形成されているものを示す。
【図４】考案の第三の実施形態である釣り針の平面図である。
【図５】考案の第四の実施形態である釣り針を示す正面図であり、（ａ）は弾性線材がＪの字状のもの、（ｂ）は弾性線材がレの字状のものを示す。
【図６】本考案の第五の実施形態である釣り針を示す平面図であり、（ａ）は、弾性線材を２個取り付けたもの、（ｂ）は弾性線材を３個取り付けたものを示す。
【符号の説明】
【００２６】
１０〜１５  釣り針
２  針本体
２１  軸部
２２  針先
２４  底部
３  弾性線材
３２  先端（自由端）
４  ハリス
５  カワハギ（魚）
【図１】
0003146898.tif 000003
【図２】
0003146898.tif 000004
【図３】
0003146898.tif 000005
【図４】
0003146898.tif 000006
【図５】
0003146898.tif 000007
【図６】
0003146898.tif 000008